(57)【要約】【課題】携帯電話、電卓など身の回りの物品を手軽に簡易に収納できすぐに使用できる着脱式収納ポケット、着脱式収納ポケットセット及び着脱式収納ポケットボードセットを提供する。【解決手段】着脱式収納ポケットセット１００は、着脱式収納ポケット１０と第２の面ファスナー部材２０ｂを有し、第２の面ファスナー部材２０ｂが家具Ｋに貼り付けられた状態で、着脱式収納ポケット１０を第２の面ファスナー部材２０ｂに貼り付け固定させる。着脱式収納ポケット１０は、物品の形状に対応するように形成されており、この物品が収納されるように構成されている。【選択図】図１
0003214573.tif 000002
【実用新案登録請求の範囲】
【請求項１】
物品を収納するように形成されたポケット状部材と、
面的に着脱自在な第１の面ファスナー部材と第２の面ファスナー部材を有する面ファスナーの前記第１の面ファスナー部材と、を有し、
前記第１の面ファスナー部材が、前記ポケット状部材に貼り付けられまたは縫い付けられ固着されており、
前記第１の面ファスナー部材が、前記第２の面ファスナー部材と着脱自在なように形成されていることを特徴とする着脱式収納ポケット。
【請求項２】
請求項１に記載の物品を収納するように形成されたポケット状部材と第１の面ファスナーを有する着脱式収納ポケットと、請求項１に記載の第２の面ファスナーと、を有する着脱式収納ポケットセットであって、
前記第２の面ファスナー部材は、着脱自在となる面の裏側に粘着部材を有し、前記粘着部材が、デスク、ロッカーなどの家具に貼り付けられるように形成されており、
前記第２の面ファスナー部材が、前記粘着部材を用いて前記家具に貼り付けられた状態で、前記第１の面ファスナー部材を、必要に応じて、前記第２の面ファスナー部材に貼り付け固定され、前記着脱式収納ポケットに前記物品が収納されるように構成されていることを特徴とする着脱式収納ポケットセット。
【請求項３】
前記ポケット状部材は、前記物品の形状に対応するように形成されていることを特徴とする請求項２に記載の着脱式収納ポケットセット。
【請求項４】
請求項１に記載の物品を収納するように形成されたポケット状部材と第１の面ファスナー部材を有する着脱式収納ポケットと、請求項１に記載の第２の面ファスナー部材と、ボードを有する着脱式収納ポケットボードセットであって、
前記第２の面ファスナー部材は、着脱自在となる面の裏側を前記ボードに貼り付け固着されており、
前記第１の面ファスナー部材を、必要に応じて、前記第２の面ファスナー部材に貼り付け固定させ、前記着脱式収納ポケットに前記物品が収納されるように構成されていることを特徴とする着脱式収納ポケットボードセット。
【請求項５】
前記第２の面ファスナー部材は、前記ボードの表面の全面に貼り付けられ固着されており、
前記第２の面ファスナー部材は、異なる複数の前記物品に対応するように形成された複数の前記着脱式収納ポケットが、着脱自在となるように構成されていることを特徴とする請求項４に記載の着脱式収納ポケットボードセット。
【請求項６】
前記複数の前記着脱式収納ポケットが、前記第２の面ファスナー部材に貼り付け固定されている状態で、バックインバックとして用いられることを特徴とする請求項５に記載の着脱式収納ポケットボードセット。
【考案の詳細な説明】
【技術分野】
【０００１】
本考案は、着脱式収納ポケット、着脱式収納ポケットセット及び着脱式収納ポケットボードセットに関する。
【背景技術】
【０００２】
一般的に、携帯電話、電卓など身の回りのものは、整理棚、収納ケースなどを用いて収納されている。
【考案の概要】
【考案が解決しようとする課題】
【０００３】
上記のとおり、従来、携帯電話、電卓など身の回りのものは、整理棚、収納ケースなどを用いて収納されているが、より簡易に収納できるものが求められていた。本考案は、こうした点に鑑みてなされたものであり、携帯電話、電卓など身の回りの物品を手軽に簡易に収納でき、すぐに使用できる着脱式収納ポケット、着脱式収納ポケットセット及び着脱式収納ポケットボードセットを提供することである。
【課題を解決するための手段】
【０００４】
上記課題を解決するために、本考案に係る着脱式収納ポケットは、物品を収納するように形成されたポケット状部材と、面的に着脱自在な第１の面ファスナー部材と第２の面ファスナー部材を有する面ファスナーの前記第１の面ファスナー部材と、を有し、前記第１の面ファスナー部材が、前記ポケット状部材に貼り付けられまたは縫い付けられ固着されており、前記第１の面ファスナー部材が、前記第２の面ファスナー部材と着脱自在なように形成されていることを特徴とする。
【０００５】
上記課題を解決するために、本考案に係る着脱式収納ポケットセットは、上記の物品を収納するように形成されたポケット状部材と第１の面ファスナーを有する着脱式収納ポケットと、上記の第２の面ファスナーと、を有する着脱式収納ポケットセットであって、前記前記第２の面ファスナー部材は、着脱自在となる面の裏側に粘着部材を有し、前記粘着部材が、デスク、ロッカーなどの家具に貼り付けられるように形成されており、前記第２の面ファスナー部材が、前記粘着部材を用いて前記家具に貼り付けられた状態で、前記第１の面ファスナー部材を、必要に応じて、前記第２の面ファスナー部材に貼り付け固定させ、前記着脱式収納ポケットに前記物品が収納されるように構成されていることを特徴とする。
【０００６】
本考案に係る着脱式収納ポケットセットの態様について、前記ポケット状部材は、前記物品の形状に対応するように形成されていることが好ましい。
【０００７】
上記課題を解決するために、本考案に係る着脱式収納ポケットボードセットは、上記の物品を収納するように形成されたポケット状部材と第１の面ファスナー部材を有する着脱式収納ポケットと、請求項１に記載の第２の面ファスナー部材と、ボードを有する着脱式収納ポケットボードセットであって、前記第２の面ファスナー部材は、着脱自在となる面の裏側を前記ボードに貼り付け固着されており、前記第１の面ファスナー部材を、必要に応じて、前記第２の面ファスナー部材に貼り付け固定させ、前記着脱式収納ポケットに前記物品が収納されるように構成されていることを特徴とする。
【０００８】
本考案に係る着脱式収納ポケットボードセットの態様について、前記第２の面ファスナー部材は、前記ボードの表面の全面に貼り付けられ固着されており、前記第２の面ファスナー部材は、異なる複数の前記物品に対応するように形成された複数の前記着脱式収納ポケットが、着脱自在となるように構成されていることが好ましく、また、前記複数の前記着脱式収納ポケットが、前記第２の面ファスナー部材に貼り付け固定されている状態で、バックインバックとして用いられることが好ましい。
【考案の効果】
【０００９】
本考案によれば、携帯電話、電卓など身の回りの物品を手軽に簡易に収納でき、すぐに使用できる着脱式収納ポケット、着脱式収納ポケットセット及び着脱式収納ポケットボードセットを提供することがきる。
【図面の簡単な説明】
【００１０】
【図１】実施形態の着脱式収納ポケット、着脱式収納ポケットセット及び着脱式収納ポケットボードセットを示す模式図である。
【図２】着脱式収納ポケットの例を示す参考図である。
【考案を実施するための形態】
【００１１】
以下、本考案の実施形態を、図１及び図２を用いて説明する。図１（ａ）は、着脱式収納ポケット１０を用いた着脱式収納ポケットセット１００を示す模式図であり、図１（ｂ）は、着脱式収納ポケット１０を用いた着脱式収納ポケットボードセット１１０を示す模式図である。図２（ａ）は、電卓を収納する着脱式収納ポケット１０を示す参考図であり、図２（ｂ）は、携帯電話を収納する着脱式収納ポケット１０を示す参考図であり、図２（ｃ）は、ペン立てとしての着脱式収納ポケット１０を示す参考図であり、図２（ｄ）は、はさみを収納する着脱式収納ポケット１０を示す参考図であり、図２（ｅ）は、財布を収納する着脱式収納ポケット１０を示す参考図であり、図２（ｆ）は、バックインバックとしての着脱式収納ポケットボードセット１１０を示す参考図である。
【００１２】
まず、着脱式収納ポケット１０について説明する。着脱式収納ポケット１０は、物品を収納するように形成されたポケット状部材１０ａと、面的に着脱自在なように形成されている第１の面ファスナー部材２０ａと第２の面ファスナー部材２０ｂを有する面ファスナーの第１の面ファスナー部材２０ａから構成されている。
【００１３】
すなわち、着脱式収納ポケット１０は、第１の面ファスナー部材２０ａが、ポケット状部材１０ａに貼り付けられて固着されて形成されている。この例では、縫い付けることで固着しているが、固着方法はこれに限定されない。そして、第１の面ファスナー部材２０ａが、第２の面ファスナー部材２０ｂと着脱自在となるように用いられる。
【００１４】
ここで用いられる面ファスナーは、例えば、第１の面ファスナー部材２０ａがフック状係合素子またはループ状係合素子で構成され、第２の面ファスナー部材２０ｂがループ状係合素子またはフック状係合素子で構成されており、また、フック状係合素子とループ状係合素子が同一面に設けられたものを用いてもよい（以下これらを係合素子という）。すなわち、第１の面ファスナー部材２０ａと第２の面ファスナー部材２０ｂは、それぞれの表面が貼りあわされて係合され、貼り付けること及び剥がすことが自在であり、面的に着脱可能なように構成されており、第１の面ファスナー部材２０ａが、第２の面ファスナー部材２０ｂと着脱自在となるように用いられる。なお、第１の面ファスナー部材２０ａと第２の面ファスナー部材２０ｂのそれぞれの係合素子の大きさは、同じであってもよく、また異なっていてもよい。
【００１５】
ポケット状部材１０ａは、物品の形状に対応し物品が収納できるように形成されている。このポケット状部材１０ａに収納される物品は、携帯電話、電卓など挙げられるが、これらに限定されず、身の回りで使用する物品であればよい。
【００１６】
次に、着脱式収納ポケットセット１００について説明する。着脱式収納ポケットセット１００は、物品を収納するように形成されたポケット状部材１０ａと第１の面ファスナー２０ａを有する着脱式収納ポケット１０と、第２の面ファスナー２０ｂとから構成される。
【００１７】
第２の面ファスナー部材２０ｂは、着脱自在となる面、つまり係合素子を有する面の裏側に粘着部材３０が貼り付けられている。粘着部材３０は、粘着シール、両面テープなどであり、デスク、ロッカーなどの家具Ｋに貼り付けられるものである。
【００１８】
着脱式収納ポケットセット１００は、第２の面ファスナー部材２０ｂが、粘着部材３０を用いて家具Ｋに貼り付けられた状態で、第１の面ファスナー部材２０ａを、必要に応じて、第２の面ファスナー部材２０ｂに貼り付け固定させ、家具Ｋに固着された着脱式収納ポケット１０に、物品が収納されるように構成されている。なお、このポケット状部材１０ａは、物品の形状に対応するように形成されている。
【００１９】
また、着脱式収納ポケットセット１００は、例えば、ロッカーに使用する場合、細長い限られた空間を有効に活用し、扉裏や側面に、着脱式収納ポケット１０を用いて必用な物品を収納することができる。
【００２０】
次に、着脱式収納ポケットボードセット１１０について説明する。着脱式収納ポケットボードセット１１０は、物品を収納するように形成されたポケット状部材１０ａと第１の面ファスナー２０ａを有する着脱式収納ポケット１０と、第２の面ファスナー２０ｂと、ボード４０から構成されている。
【００２１】
第２の面ファスナー部材２０ｂは、着脱自在となる面、つまり係合素子を有する面の裏側が、ボード４０に貼り付け固着されている。そして、着脱式収納ポケットボードセット１１０は、第１の面ファスナー部材２０ａを、必要に応じて、第２の面ファスナー部材１０ｂに貼り付け固定させ、着脱式収納ポケット１０に、物品を収納するように構成されている。
【００２２】
実施形態において、第２の面ファスナー部材２０ｂは、ボード４０の表面の全面に貼り付けられ固着されている構成であるが、これは一例でありボード４０の表面の一部の領域に第２の面ファスナー部材２０ｂを貼り付け固着させてもよい。また、第２の面ファスナー部材２０ｂは、異なる物品に対応するように形成された複数の着脱式収納ポケット１０が、貼り付け固定される構成である。
【００２３】
着脱式収納ポケットボードセット１１０は、一例として図２（ｆ）に示すバックインバックとして用いてもよい。すなわち、物品が収納されている着脱式収納ポケットボードセット１１０を、鞄などのバックに収納することで、電話、電卓、印鑑、ＵＳＢなどの物品を整理し管理でき、迅速に取り出し使用することができ、仕事において効率向上を図ることができる。なお、バックインバックとして用いる場合の着脱式収納ポケットボードセット１１０の縦、横の大きさ、持ち手の有無など、適宜設計することができ、幅広く活用することができる。
【００２４】
ここで、本考案に使用される物品を収納する着脱式収納ポケット１０の例を紹介する。電卓用については、デスクの上か引き出しの中にしまいがちであるが、デスクのサイドンなどに着脱式収納ポケット１０を貼り付けることで、デスクや引き出しを開け閉めすることなくさっと取りだすことができる。
【００２５】
また、携帯電話用については、置き場所に困るということが起きうるが、着脱式収納ポケット１０に入れることで解消し、身近におくことができ便利に使用することができる。また、着脱式であり、車の中でももちいることができ、例えば、着脱式収納ポケット１０に携帯電話を入れた状態で持参して車に取り付けることもでき、運転中の置き場に困るということも解消できる。また、車の曲線部への装着も布製であり簡易に取り付けることができる。
【００２６】
電卓と携帯電話について説明したが、着脱式収納ポケット１０は、その他の物品、例えば、ペン立て、パソコンサイド用ペン差し、はさみ、印鑑、ＵＳＢ、箸箱、ハンカチ、熨斗袋用の箱形オープンポケット、サニタリー品用の箱形フタ付ポケット、小物用のファスナー式ポケット、メッシュポケット、薄型オープンポケットなどを収納することができ幅広い応用が可能となっている。
【００２７】
また、上記のバックインバックに収納される物品は、財布、携帯電話、名刺入れ、カードケース、メモ帳などであるが、これらに限定されることなく適宜最適な着脱式収納ポケット１０であればよい。
【００２８】
このような利便性を有する着脱式収納ポケット１０、着脱式収納ポケットセット１００及び着脱式収納ポケットボードセット１１０は、上記の物品を手軽に簡易に収納することができ、すぐに使用することができるという優れた効果を奏するものである。
【００２９】
また、上記のフック状係合素子とループ状係合素子が同一面に設けられた面ファスナー、例えば、柔らかいループ状係合素子がフック状係合素子よりも高くなるように形成されている面ファスナーを用いることで、他の素材を傷めにくく糸くずやゴミなどが着きにくいものとすることができる。
【００３０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００３１】
また、本考案の着脱式収納ポケット、着脱式収納ポケットセット及び着脱式収納ポケットボードセットの大きさや形状、素材の厚さ、重さなどについては多様な実施形態が可能であり、それらについて本実施形態と異なる形態による実施は、本考案の技術的範囲に含まれる。
【符号の説明】
【００３２】
１０      着脱式収納ポケット
１０ａ    ポケット状部材
２０ａ    第１の面ファスナー部材
２０ｂ    第２の面ファスナー部材
３０      粘着部材
４０      ボード
１００    着脱式収納ポケットセット
１１０    着脱式収納ポケットボードセット
Ｋ        家具
【図１】
0003214573.tif 000003
【図２】
0003214573.tif 000004